【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
セルラーワイヤレスネットワークとワイヤレスローカルエリアネットワーク（ＷＬＡＮ）とを備えるネットワークにおけるワイヤレス通信のための方法であって、前記方法は、ＵＥにおいて、
前記ＵＥとＷＬＡＮアクセスポイントとの間の関連付け状態を決定することと、
前記関連付け状態に少なくとも部分的に基づいて、前記アクセスポイントの少なくとも１つのメトリックを選択することと、
前記少なくとも１つのメトリックの値を決定することと
を備え、
前記少なくとも１つのメトリックの前記値を前記セルラーワイヤレスネットワークの基地局に報告することと、
前記報告することに応答して前記基地局からメッセージを受信することと、前記メッセージが、前記ＷＬＡＮアクセスポイントと前記基地局との間のＵＥトラフィックの割振りまたは再割振りを含む、
前記基地局から前記ＷＬＡＮアクセスポイントに前記トラフィックのいくつかをステアリングすることと
を備えることによって特徴付けられる、方法。
【請求項２】
前記選択することが、メトリックの少なくとも２つの別個のセットのうちの１つから前記少なくとも１つのメトリックを選択することをさらに備える、請求項１に記載の方法。
【請求項３】
前記選択することは、前記ＵＥが前記ＷＬＡＮアクセスポイントとの関連状態にあることに基づいて、前記別個のセットのうちの第１のセットから前記少なくとも１つのメトリックを選択することと、前記ＵＥが前記ＷＬＡＮアクセスポイントと非関連状態にあることに基づいて、前記別個のセットのうちの第２のセットから前記少なくとも１つのメトリックを選択することとを備える、請求項２に記載の方法。
【請求項４】
前記選択することは、前記ＵＥが前記ＷＬＡＮアクセスポイントとのアクティブ接続中であることに基づいて、前記別個のセットのうちの第１のセットから前記少なくとも１つのメトリックを選択することと、前記ＵＥが前記ＷＬＡＮアクセスポイントとの非アクティブ接続中であることに基づいて、前記別個のセットのうちの第２のセットから前記少なくとも１つのメトリックを選択することとを備える、請求項２に記載の方法。
【請求項５】
非アクティブ接続が、前記ＡＰに関連しない、前記ＡＰに関連するがデータを送らない、または前記ＡＰに関連するがしきい値を上回るデータを送らない（すなわち、低すぎるスループット）のうちの１つを備える、請求項４に記載の方法。
【請求項６】
前記別個のセットのうちの前記第１のセットのメンバーが前記ＵＥと前記アクセスポイントとの間の接続の品質または帯域幅を示す、請求項３に記載の方法。
【請求項７】
前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、請求項３に記載の方法。
【請求項８】
セルラーワイヤレスネットワークとワイヤレスローカルエリアネットワーク（ＷＬＡＮ）とを備えるネットワークにおけるワイヤレス通信のためのユーザ機器（ＵＥ）であって、
前記ＵＥとＷＬＡＮアクセスポイントとの間の関連付け状態を決定することと、
前記関連付け状態に少なくとも部分的に基づいて、前記アクセスポイントの少なくとも１つのメトリックを選択することと、
前記少なくとも１つのメトリックの値を決定することと
を行うために構成され、
前記少なくとも１つのメトリックの前記値を前記セルラーワイヤレスネットワークの基地局に報告することと、
前記報告することに応答して前記基地局からメッセージを受信することと、前記メッセージが、前記ＷＬＡＮアクセスポイントと前記基地局との間のＵＥトラフィックの割振りまたは再割振りを含む、
前記基地局から前記ＷＬＡＮアクセスポイントに前記トラフィックのいくつかをステアリングすることと
を行うために構成されることによって特徴付けられる、少なくとも１つのプロセッサと、
前記少なくとも１つのプロセッサに結合されたメモリと
を備える、ワイヤレス通信のためのＵＥ。
【請求項９】
セルラーワイヤレスネットワークとワイヤレスローカルエリアネットワーク（ＷＬＡＮ）とを備えるネットワークにおけるワイヤレス通信のための方法であって、前記方法は、
ユーザ機器（ＵＥ）と通信している前記セルラーワイヤレスネットワークの基地局が、前記ＵＥとＷＬＡＮアクセスポイントとの間の関連付け状態を示す情報を受信することと、
前記関連付け状態に少なくとも部分的に基づいて、前記アクセスポイントの少なくとも１つのメトリックを報告するように前記ＵＥに命令することと
を備え、
前記命令することに応答して、前記ＵＥから前記少なくとも１つのメトリックの値を受信することと、
前記値を前記受信することに応答して前記ＵＥにメッセージを与えることと、前記メッセージが、前記ＷＬＡＮアクセスポイントと前記基地局との間のＵＥトラフィックの割振りまたは再割振りを含み、前記メッセージが、前記基地局から前記ＷＬＡＮアクセスポイントに前記トラフィックのいくつかをステアリングするように前記ＵＥに命令する、
を備えることによって特徴付けられる、方法。
【請求項１０】
前記命令することが、メトリックの少なくとも２つの別個のセットのうちの１つから前記少なくとも１つのメトリックを選択するための命令を備える、請求項９に記載の方法。
【請求項１１】
前記命令することは、前記ＵＥが前記ＷＬＡＮアクセスポイントとの関連状態にあることに基づいて、前記別個のセットのうちの第１のセットから前記少なくとも１つのメトリックを選択することと、前記ＵＥが前記ＷＬＡＮアクセスポイントとの非関連状態にあることに基づいて、前記別個のセットのうちの第２のセットから前記少なくとも１つのメトリックを選択することとを行うための命令を備える、請求項１０に記載の方法。
【請求項１２】
前記別個のセットのうちの前記第１のセットのメンバーが前記ＵＥと前記アクセスポイントとの間の接続の品質または帯域幅を示す、請求項１１に記載の方法。
【請求項１３】
前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、請求項１２に記載の方法。
【請求項１４】
セルラーワイヤレスネットワークとワイヤレスローカルエリアネットワーク（ＷＬＡＮ）とを備えるネットワークにおけるワイヤレス通信のための基地局であって、
ユーザ機器（ＵＥ）とＷＬＡＮアクセスポイントとの間の関連付け状態を示す情報を、前記ＵＥから受信することと、
前記関連付け状態に少なくとも部分的に基づいて、前記アクセスポイントの少なくとも１つのメトリックを報告するように前記ＵＥに命令することと
を行うために構成され、
前記命令することに応答して、前記ＵＥから前記少なくとも１つのメトリックの値を受信することと、
前記値を前記受信することに応答して前記ＵＥにメッセージを与えることと、前記メッセージが、前記ＷＬＡＮアクセスポイントと前記基地局との間のＵＥトラフィックの割振りまたは再割振りを含み、前記メッセージが、前記基地局から前記ＷＬＡＮアクセスポイントに前記トラフィックのいくつかをステアリングするように前記ＵＥに命令する、
を行うために構成されることによって特徴付けられる、少なくとも１つのプロセッサと、
前記少なくとも１つのプロセッサに結合されたメモリと
を備える、ワイヤレス通信のための基地局。
【請求項１５】
前記プロセッサは、前記ＵＥが前記ＷＬＡＮアクセスポイントとの関連状態にあることに基づいて、メトリックセットの少なくとも２つの別個のセットのうちの１つから前記少なくとも１つのメトリックを選択することと、前記ＵＥが前記ＷＬＡＮアクセスポイントとの非関連状態にあることに基づいて、前記別個のセットのうちの第２のセットから前記少なくとも１つのメトリックを選択することとを行うための命令を与えることを備える前記命令することのためにさらに構成され、ここにおいて、前記別個のセットの第１のセットのメンバーが前記ＵＥと前記アクセスポイントとの間の接続の品質または帯域幅を示し、前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、請求項１４に記載の装置。
【手続補正２】
【補正対象書類名】明細書
【補正対象項目名】０１１１
【補正方法】変更
【補正の内容】
【０１１１】
[0149]  上記は本開示の態様を対象とするが、本開示の他の態様およびさらなる態様は、それらの基本的範囲から逸脱することなく考案され得、それらの範囲は以下の特許請求の範囲によって決定される。
以下に、本願の出願当初の特許請求の範囲に記載された発明を付記する。
［Ｃ１］
セルラーワイヤレスネットワークとワイヤレスローカルエリアネットワーク（ＷＬＡＮ）とを備えるネットワークにおけるワイヤレス通信のための方法であって、前記方法は、
ユーザ機器（ＵＥ）が、前記ＵＥとＷＬＡＮアクセスポイントとの間の関連付け状態を決定することと、
前記関連付け状態に少なくとも部分的に基づいて、前記アクセスポイントの少なくとも１つのメトリックを選択することと、
前記少なくとも１つのメトリックの値を決定することとを備える、方法。
［Ｃ２］
前記関連付け状態、しきい値に対する前記少なくとも１つのメトリックの前記値、前記関連付け状態の変化、または前記セルラーワイヤレスネットワークの基地局から報告命令を受信することのうちの少なくとも１つに基づいて、前記少なくとも１つのメトリックの前記値を前記基地局に報告すべきかどうかを決定することをさらに備える、Ｃ１に記載の方法。
［Ｃ３］
報告すべきかどうかを前記決定することに基づいて、前記少なくとも１つのメトリックの前記値を前記セルラーワイヤレスネットワークの基地局に報告することをさらに備える、Ｃ２に記載の方法。
［Ｃ４］
前記報告することに応答して前記基地局からメッセージを受信することをさらに備え、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、Ｃ３に記載の方法。
［Ｃ５］
前記選択することが、メトリックの少なくとも２つの別個のセットのうちの１つから前記少なくとも１つのメトリックを選択することをさらに備える、Ｃ１に記載の方法。
［Ｃ６］
前記選択することは、前記ＵＥが前記ＷＬＡＮアクセスポイントとの関連状態にあることに基づいて、前記別個のセットのうちの第１のセットから前記少なくとも１つのメトリックを選択することと、前記ＵＥが前記ＷＬＡＮアクセスポイントと非関連状態にあることに基づいて、前記別個のセットのうちの第２のセットから前記少なくとも１つのメトリックを選択することとを備える、Ｃ５に記載の方法。
［Ｃ７］
前記選択することは、前記ＵＥが前記ＷＬＡＮアクセスポイントとのアクティブ接続中であることに基づいて、前記別個のセットのうちの第１のセットから前記少なくとも１つのメトリックを選択することと、前記ＵＥが前記ＷＬＡＮアクセスポイントとの非アクティブ接続中であることに基づいて、前記別個のセットのうちの第２のセットから前記少なくとも１つのメトリックを選択することとを備える、Ｃ５に記載の方法。
［Ｃ８］
非アクティブ接続が、前記ＡＰに関連しない、前記ＡＰに関連するがデータを送らない、または前記ＡＰに関連するがしきい値を上回るデータを送らない（すなわち、低すぎるスループット）のうちの１つを備える、Ｃ７に記載の方法。
［Ｃ９］
前記別個のセットのうちの前記第１のセットのメンバーが前記ＵＥと前記アクセスポイントとの間の接続の品質または帯域幅を示す、Ｃ６に記載の方法。
［Ｃ１０］
前記別個のセットのうちの前記第１のセットが、オーバージエア（ＯＴＡ）ビットレート、フレームエラーレート（ＦＥＲ）、ＯＴＡスループット、アップリンクバッファサイズ、アップリンクレイテンシ、メディアアクセス制御（ＭＡＣ）管理情報ベース（ＭＩＢ）カウンタ、８０２．１１報告、またはバックオフカウンタ値のうちのいずれか１つまたは複数を含む、Ｃ９に記載の方法。
［Ｃ１１］
前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、Ｃ６に記載の方法。
［Ｃ１２］
前記別個のセットのうちの前記第２のセットが、受信チャネル電力インジケータ（ＲＣＰＩ）、受信信号対雑音インジケータ（ＲＳＮＩ）、基本サービスセット（ＢＳＳ）負荷、前記ＷＬＡＮアクセスポイントに関連する局の数、前記アクセスポイントを使用する有効ユーザの数、またはバッファされたトラフィックをもつ前記アクセスポイントに関連する局の平均数のうちのいずれか１つまたは複数を含む、Ｃ１１に記載の方法。
［Ｃ１３］
前記別個のセットのうちの前記第２のセットが、ビーコン損失レート、ワイドエリアネットワーク（ＷＡＮ）メトリック、物理レイヤレート、利用可能帯域幅、平均バックオフ時間、トラフィック指示マップ間隔、または８０２．１１能力のうちのいずれか１つまたは複数を含む、Ｃ１１に記載の方法。
［Ｃ１４］
ユーザ機器（ＵＥ）とＷＬＡＮアクセスポイントとの間の関連付け状態を決定することと、前記関連付け状態に少なくとも部分的に基づいて、前記アクセスポイントの少なくとも１つのメトリックを選択することと、前記少なくとも１つのメトリックの値を決定することとを行うために構成された少なくとも１つのプロセッサと、
前記少なくとも１つのプロセッサに結合されたメモリとを備える、ワイヤレス通信のための装置。
［Ｃ１５］
前記プロセッサが、前記関連付け状態、しきい値に対する前記少なくとも１つのメトリックの前記値、前記関連付け状態の変化、またはセルラーワイヤレスネットワークの基地局から報告命令を受信することのうちの少なくとも１つに基づいて、前記少なくとも１つのメトリックの前記値を前記基地局に報告すべきかどうかを決定するためにさらに構成された、Ｃ１４に記載の装置。
［Ｃ１６］
前記プロセッサが、前記値を前記基地局に報告することに応答して前記基地局からメッセージを受信するためにさらに構成され、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、Ｃ１５に記載の装置。
［Ｃ１７］
前記プロセッサが、メトリックの少なくとも２つの別個のセットのうちの１つから前記少なくとも１つのメトリックを前記選択することを実行するためにさらに構成され、ここにおいて、前記別個のセットのうちの第１のセットは、前記ＵＥが、前記ＷＬＡＮアクセスポイントとの関連状態から選択されるＵＥ状態にあるか、または前記ＷＬＡＮアクセスポイントとのアクティブ接続中であることに基づき、ここにおいて、前記プロセッサが、前記ＵＥ状態に基づいて前記別個のセットのうちの第２のセットから前記少なくとも１つのメトリックを選択する、Ｃ１４に記載の装置。
［Ｃ１８］
前記プロセッサが、メトリックの前記少なくとも２つの別個のセットから前記選択することを実行するためにさらに構成され、ここにおいて、前記別個のセットのうちの前記第１のセットのメンバーが前記ＵＥと前記アクセスポイントとの間の接続の品質または帯域幅を示し、前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、Ｃ１７に記載の装置。
［Ｃ１９］
セルラーワイヤレスネットワークとワイヤレスローカルエリアネットワーク（ＷＬＡＮ）とを備えるネットワークにおけるワイヤレス通信のための方法であって、前記方法は、
ユーザ機器（ＵＥ）と通信している前記セルラーワイヤレスネットワークの基地局が、前記ＵＥとＷＬＡＮアクセスポイントとの間の関連付け状態を示す情報を受信することと、
前記関連付け状態に少なくとも部分的に基づいて、前記アクセスポイントの少なくとも１つのメトリックを報告するように前記ＵＥに命令することとを備える、方法。
［Ｃ２０］
前記少なくとも１つのメトリックの値を報告するように前記ＵＥに前記命令することが、前記関連付け状態、しきい値に対する前記少なくとも１つのメトリックの値、または前記関連付け状態の変化のうちの少なくとも１つに基づく少なくとも１つの状態を含む、Ｃ１９に記載の方法。
［Ｃ２１］
前記命令することに応答して、前記ＵＥから前記少なくとも１つのメトリックの値を受信することをさらに備える、Ｃ１９に記載の方法。
［Ｃ２２］
前記値を前記受信することに応答して前記ＵＥにメッセージを与えることをさらに備え、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、Ｃ２１に記載の方法。
［Ｃ２３］
前記命令することが、メトリックの少なくとも２つの別個のセットのうちの１つから前記少なくとも１つのメトリックを選択するための命令を備える、Ｃ１９に記載の方法。
［Ｃ２４］
前記命令することは、前記ＵＥが前記ＷＬＡＮアクセスポイントとの関連状態にあることに基づいて、前記別個のセットのうちの第１のセットから前記少なくとも１つのメトリックを選択することと、前記ＵＥが前記ＷＬＡＮアクセスポイントとの非関連状態にあることに基づいて、前記別個のセットのうちの第２のセットから前記少なくとも１つのメトリックを選択することとを行うための命令を備える、Ｃ２３に記載の方法。
［Ｃ２５］
前記別個のセットのうちの前記第１のセットのメンバーが前記ＵＥと前記アクセスポイントとの間の接続の品質または帯域幅を示す、Ｃ２４に記載の方法。
［Ｃ２６］
前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、Ｃ２５に記載の方法。
［Ｃ２７］
ユーザ機器（ＵＥ）と通信しているセルラーワイヤレスネットワークの基地局において、前記ＵＥとＷＬＡＮアクセスポイントとの間の関連付け状態を示す情報を受信することと、前記関連付け状態に少なくとも部分的に基づいて、前記アクセスポイントの少なくとも１つのメトリックを報告するように前記ＵＥに命令することとを行うために構成された少なくとも１つのプロセッサと、
前記少なくとも１つのプロセッサに結合されたメモリとを備える、ワイヤレス通信のための装置。
［Ｃ２８］
前記プロセッサが、前記関連付け状態、しきい値に対する前記少なくとも１つのメトリックの値、または前記関連付け状態の変化のうちの少なくとも１つに基づく少なくとも１つの状態を含む、前記少なくとも１つのメトリックの値を報告するように前記ＵＥに前記命令することのためにさらに構成された、Ｃ２７に記載の装置。
［Ｃ２９］
前記プロセッサが、前記命令することに応答して、前記ＵＥから前記少なくとも１つのメトリックの値を受信することと、前記値を前記受信することに応答して前記ＵＥにメッセージを与えることとを行うためにさらに構成され、前記メッセージが、前記ＷＬＡＮアクセスポイントと前記基地局との間のＵＥトラフィックの割振りまたは再割振り、あるいは前記ＵＥによって決定されるべき前記少なくとも１つのメトリックのうちの１つまたは複数の指示のうちの少なくとも１つを含む、Ｃ２７に記載の装置。
［Ｃ３０］
前記プロセッサは、前記ＵＥが前記ＷＬＡＮアクセスポイントとの関連状態にあることに基づいて、メトリックセットの少なくとも２つの別個のセットのうちの１つから前記少なくとも１つのメトリックを選択することと、前記ＵＥが前記ＷＬＡＮアクセスポイントとの非関連状態にあることに基づいて、前記別個のセットのうちの第２のセットから前記少なくとも１つのメトリックを選択することとを行うための命令を与えることを備える前記命令することのためにさらに構成され、ここにおいて、前記別個のセットの第１のセットのメンバーが前記ＵＥと前記アクセスポイントとの間の接続の品質または帯域幅を示し、前記別個のセットのうちの前記第２のセットのメンバーが、前記ＵＥによって測定された前記ＷＬＡＮアクセスポイントからの信号の品質、前記ＷＬＡＮアクセスポイント上のサービス負荷、または前記ＷＬＡＮアクセスポイントの能力を示す、Ｃ２７に記載の装置。